(57)【要約】【課題】  緊急時における安全装置の操作を確実ならしめることにより、誘拐・連れ去り等から児童生徒を護ることのできる通学服を提供する。【解決手段】  通学服に、ボタン操作により救助信号を発信するＧＰＳ端末等の安全装置を収納するための内ポケット20を設けた。内ポケット20は、電磁波遮蔽布とクッション材とを重畳してなる合わせ布21を、上方に開口部が形成されるよう通学服裏面に対して縫着することにより形成した。内ポケット20には、内部に収容される安全装置のボタン相当位置に該ボタンを操作するための操作孔22と、前記開口部を閉塞するための固定手段とを設けた。【選択図】  図２
2006183154.tif 000002
【特許請求の範囲】
【請求項１】
ボタン操作により救助信号を発信する安全装置を収納するための内ポケットを有する通学服であって、該内ポケットは、電磁波遮蔽布とクッション材を重畳してなる合わせ布を用い、上方に開口部が形成されるよう通学服裏面に対して縫着されてなるものであり、内部に収容された前記安全装置のボタン相当位置に操作孔を備えるとともに、前記開口部を閉塞するための固定手段を有してなる通学服。
【請求項２】
前記操作孔が、内ポケットとして用いる合わせ布の端縁から連続形成したものである請求項１記載の通学服。
【請求項３】
安全装置収納ポシェットを保持するための保持ベルトを備えた通学服であって、該保持ベルトの少なくとも一端部が通学服裏面に縫着されてなり、該保持ベルトの他端部が通学服裏面に着脱可能に設けられてなる通学服。
【請求項４】
前記保持ベルトが、通学服の複数箇所に設けられており、児童生徒が任意箇所を選択して安全装置収納ポシェットを固定することができることを特徴とする請求項３記載の通学服。
【発明の詳細な説明】
【技術分野】
【０００１】
本発明は、通学中の児童生徒が誘拐や連れ去り等の被害に遭わないように予防することができ、万が一の際にも緊急救助を容易にすることができるよう配慮した通学服（安全対応通学服）に関する。
【背景技術】
【０００２】
近時、小・中学生程度の児童生徒の誘拐事件が多発している。誘拐事件の多くは登下校時、とくに下校時に発生しており、その原因としては、集団登校が容易で他校の通学時刻や社会人の通勤時刻等と重なり通行人も多い登校時に比べて、下校時は、学校や学年固有の事情によって帰宅時刻がまちまちになりやすく、監視の目が届きにくいことが指摘されている。しかるに、学校及び各家庭では、児童生徒に防犯ブザーや携帯電話を持たせるなどの対応策を講じているが、未だ十分とは言えなかった。
【０００３】
一方、自動車搭載用として発展してきたＧＰＳ（Ｇｒｏｂａｌ  Ｐｏｓｉｔｉｏｎｉｎｇ  Ｓｙｓｔｅｍ）端末は小型化が進み、携帯電話への搭載や専用小型装置が提供されるようになった。例えば、セコム株式会社が提供している位置情報・現場急行サービス「ココセコム」（登録商標）は、専用端末を携帯している人等の位置情報を人工衛星で常時監視しておき、オペレーションセンターに対する電話問い合わせ等にて当該位置情報を告知したり、専用端末からの救助信号を受信すると緊急対処員が現場に急行することを主な内容としている（非特許文献１）。
【０００４】
そこで最近では、こうした専用端末化したＧＰＳ端末を衣服のポケットに収容するなどして児童生徒に持たせるだけでなく、ＧＰＳ端末を装着した衣服も提供されている。例えば、ＧＰＳ端末を幼児や低学年児童の衣服、とくに脱ぎ捨てるおそれが少ないズボンやスカートに縫いつけたものなどが挙げられる（特許文献１）。
【０００５】
【特許文献１】特開２００２−３０２８１１号公報（第４頁[0014]）
【非特許文献１】セコム株式会社”ココセコムって何？”、[online]、[平成16年12月17日検索]、インターネット＜URL:http://www.855756.com/whats.html＞
【発明の開示】
【発明が解決しようとする課題】
【０００６】
確かに、衣服に縫いつけてしまえばＧＰＳ端末を取り去ることが困難になるため、不審者は衣服ごと廃棄しないかぎりＧＰＳ端末を除去することができない点においては児童生徒に有利となるものの、頻繁に洗濯を要する通学服ではＧＰＳ端末を脱着できないことは致命的であった。その一方、児童生徒の行動は活発であるため、衣服内に収容していたＧＰＳ端末が安易に脱落してしまうとか、転んだ際に衣服内のＧＰＳ端末が原因で怪我をするといった事態は避けなければならない。
【０００７】
また、不審者に対しては、児童生徒が常にＧＰＳ端末を持っていること自体が抑止的効果を与えることが期待されるが、児童生徒の身体のどこにＧＰＳ端末があるのかが外部から一見して判別または予測できたのでは、緊急時に救助信号を発する間もなくＧＰＳ端末を除去されてしまう危険性もある。
【０００８】
本発明は、叙上の事情に鑑みてなされたものであり、その課題とするところは、ＧＰＳ端末を所持していることを外部に対してアピールしつつ、緊急時におけるＧＰＳ端末の操作を確実ならしめることにより、誘拐・連れ去り等から児童生徒を護ることができる通学服を提供することにある。
【課題を解決するための手段】
【０００９】
前記所期の課題解決を図るため、本発明に係る通学服では、ボタン操作により救助信号を発信する安全装置（ＧＰＳ端末やＩＣチップ端末や防犯ブザー等）を収納するための内ポケットを有する通学服として、該内ポケットに電磁波遮蔽布とクッション材を重畳してなる合わせ布を用い、上方に開口部が形成されるよう通学服裏面に対して縫着して、内部に収容された前記安全装置のボタン相当位置に操作孔を設けるとともに、前記開口部を閉塞するための固定手段を設けた。安全装置における操作ボタン（救助信号発信用ボタン等）は、誤操作防止のために押圧方式ではなく押上方式となっているものが代表的であるために、内ポケット内部に前記安全装置を完全に収容しながらも、前記操作孔から前記操作ボタンが露出するように形成したのである。
【００１０】
ここで、通学服とは、冬用上着のみならず、合服上着、ベスト、ズボン（半ズボンを含む。）やスカートを含む概念である。また、制服のみならず私服として着用する通学服をも含む概念である。さらに、前記固定手段は、前記開口部を閉塞できるものであれば特に限定されず、面ファスナやドットボタン等が例示される。前記固定手段は、合わせ布や通学服裏面に設けたものであってもよいし、前記開口部の上方に別途取り付けた蓋体等に設けたものであってもよい。
【００１１】
また、前記通学服の内ポケットに形成される操作孔は、用いられる合わせ布の端縁から連続形成したものとすることができる。二枚合わせの布に独立した透孔を設ける場合、該透孔縁部の仕上げが極めて困難となるが、該透孔を合わせ布の端縁から連続形成したものとすることにより、通常の裏返し処理を施すことができる。
【００１２】
請求項３に係る通学服では、安全装置収納ポシェットが市販されていることに着目し、この収納ポシェットを固定するための保持ベルトを通学服側に設けることによって、安全装置の着脱容易化を図った。すなわち、安全装置収納ポシェットを固定するための保持ベルトを備えた通学服であって、該保持ベルトの少なくとも一端部が通学服裏面に縫着されてなり、該保持ベルトの他端部が通学服裏面に着脱可能に設けられてなるものである。
【００１３】
前記保持ベルトは、通学服の複数箇所に設けて、児童生徒が任意箇所を選択して安全装置収納ポシェットを固定することができるようにするとよい。
【発明の効果】
【００１４】
本発明に係る通学服では、ＧＰＳ端末等の安全装置を簡単に着脱することができ、前記安全装置に起因した電磁波や転倒時の怪我から児童生徒を保護することができる。また、前記安全装置の操作ボタンが内ポケットから露出するよう構成したので、緊急時にも確実なボタン操作が行える。
【００１５】
そして、前記操作ボタンを内ポケットから露出させるための操作孔を合わせ布の端縁から連続形成したので、通常の裏返し処理によって操作孔縁部を美しく仕上げることができ、製造コスト増を抑制することができる。
【００１６】
また、安全装置収納ポシェットを簡単に着脱することができるように保持ベルトを設けた通学服では、従来のズボンベルトへの装着固定に加えて安全装置の装着場所の選択肢を広げることができる。とくに保持ベルトを通学服の複数箇所に設けておいた場合には、装着箇所を攪乱することにより、事故遭遇時においても時間稼ぎを図ることができる利点が得られる。
【発明を実施するための最良の形態】
【００１７】
本発明の通学服を、図面を用いてより具体的に説明する。図１は、本発明の通学服10を示した正面図である。図２は、図１の通学服10の前身頃におけるＡ部を裏面側（裏地側）から見た状態を示した図である。図２において、薄い網掛けのハッチングで表された部分は、通学服10の裏面（裏地）である。
【００１８】
本発明の通学服10は、図２に示すように、ＧＰＳ端末（図示省略）を収納するための内ポケット20を有している。内ポケット20は、電磁波遮蔽布とクッション材とを重畳した合わせ布21を通学服の裏面に対して逢着することにより形成している。これにより、通学服10の着用者が転んだり何かに衝突したりした際に内ポケット20に収容されているＧＰＳ端末によって傷つくのを防止することが可能になるだけでなく、ＧＰＳ端末から発せられる電磁波が通学服10の着用者の身体に及ぼす悪影響を抑えることも可能になる。内ポケット20は、通学服20の裏面に対して縫着されており、上方に開口部を有している。また、内ポケット20には、内部に収容されるＧＰＳ端末のボタン相当位置に該ボタンを操作するための操作孔22と、前記開口部を閉塞するための固定手段とが設けられている。これにより、内ポケット20に収容されたＧＰＳ端末の操作が容易になるだけでなく、ＧＰＳ端末が内ポケット20の内部から抜け落ちるのを防止することも可能になる。本実施態様の通学服10において、固定手段は、合わせ布21及び通学服裏面の前記開口部付近（図２のＤ部の内側）に面ファスナを取り付けることによって設けている。
【００１９】
内ポケット20の縫着方法は、特に限定されるものではないが、以下のように行うと好ましい。まず、端縁から中央部にかけて切れ目が連続形成された電磁波遮蔽布とクッション材とを、それぞれの切れ目が一致するように畳重する。電磁波遮蔽布とクッション材とに設けられた切れ目は、操作孔22を形成するためのものである。次に、電磁波遮蔽布とクッション材とを、前記切れ目に沿って縫い付ける（図２の縫い目Ｂを参照。）。続いて、電磁波遮蔽布かクッション材のいずれか一方を前記切れ目が設けられた側から反対側に回りこませて裏返す（前記切れ目が電磁波遮蔽材とクッション材との端縁から連続形成されているので裏返すことができる。）。このとき、縫い目Ｂは、外からは見えない状態になっている。最後に、合わせ布21の縁部を上側の開口部となる部分を残して通学服10の裏面に縫い付ける（図２の縫い目Ｃを参照。）ことによって内ポケット20は完成する。このとき、合わせ布21の表裏の向きは特に限定されないが、通常、クッション材が内側（身体側）となるように縫い付けられる。
【００２０】
合わせ布21を形成する電磁波遮蔽布は、電磁波の遮蔽作用があるものであれば特に限定されず、金属薄膜や金属繊維を用いた布地であってもよいが、布地に良導体又は強磁性体からなるコーティング材をコーティングしたものであると好ましい。これにより、電磁波遮蔽布に、布地としてのソフトな感触を保たせることが可能になる。前記良導体としては銅が例示され、前記強磁性体としてはニッケルが例示される。また、銅（良導体）とニッケル（強磁性体）との間に亜鉛を介在させたり、前記コーティング材を銅とニッケルと亜鉛との合金としたりすることにより、その電磁波遮蔽効果を向上させることもできる。これに対し、合わせ布21を形成するクッション材は、衝撃の吸収作用があるものであれば特に限定されないが、本実施態様の通学服10においては、内部にクッション性のある緩衝材を入れた布を用いている。クッション材には、キルティング加工を施してもよい。
【００２１】
内ポケット20の形状は、ＧＰＳ端末等の安全装置を収容できるものであれば特に限定されないが、通常、略矩形である。内ポケット20の開口部を、Ｖカット形状やＵカット形状としてもよい。これにより、内ポケット10に収容されたＧＰＳ端末を容易に取り出すことも可能になる。また、前記切れ目を、合わせ布21の上側の端縁（前記開口部を形成する辺部）から設ける場合には、ＧＰＳ端末のボタンをより操作しやすくすることもできる。さらに、内ポケット20の開口部付近の幅を狭めてもよい。これにより、内ポケット20に収容されているＧＰＳ端末をさらに抜け落ちにくくすることが可能になる。
【００２２】
内ポケット20を設ける場所は、通学服10の裏面であれば特に限定されないが、通常、ＧＰＳ端末を操作しやすいように前身頃側に設けられる。内ポケット20は、外ポケットの裏面（内側）に設けてもよい。また、内ポケット20は、1箇所のみに設けてもよいが、複数箇所に設けておくと好ましい。これにより、ＧＰＳ端末の取付け位置の選択自由度が高まるだけでなく、不審者に対してＧＰＳ端末の収容場所を撹乱させることもできる。
【００２３】
続いて、保持ベルト30について説明する。本実施態様の通学服10には、図２に示すように、ＧＰＳ端末収納ポシェット（図示省略）を固定するための保持ベルト30が設けられている。ＧＰＳ端末収納ポシェットは、前記安全装置収納ポシェットの下位概念である。保持ベルト30は、その一端部が通学服10の裏面に縫着されており、その他端部には面ファスナ31が取り付けられている。面ファスナ31は、通学服10の裏面に設けられた面ファスナ32に留めることができるようになっている。保持ベルト30には、面ファスナ31，32の代わりに、ドットボタン等を取り付けてもよい。ＧＰＳ端末収納ポシェットは、それを固定するためのホルダ（通常、ループ状のベルト）が備えられているものが一般的であるが、該ホルダに保持ベルト30を通すことによって、ＧＰＳ端末収納ポシェットを通学服30の内側に吊り下げることが可能になる。
【００２４】
保持ベルト30を設ける場所は、内ポケット20と同様、通学服10の裏面であれば特に限定されないが、通常、ＧＰＳ端末を操作しやすいように前身頃側に設けられる。保持ベルト30は、外ポケットの裏面（内側）に設けてもよい。また、保持ベルト30も、1箇所のみに設けてもよいが、複数箇所に設けておくと好ましい。これにより、ＧＰＳ端末の取付け位置の選択自由度が高まるだけでなく、不審者に対してＧＰＳ端末の収容場所を撹乱させることもできる。
【００２５】
本実施態様の通学服10には、内ポケット20や保持ベルト30の他にも、着用する児童生徒の安全に配慮した様々な工夫を凝らしてある。以下、その工夫について説明する。
【００２６】
通学服10には、ケブラー（登録商標）やザイロン（登録商標）等の耐切創性に優れた繊維からなる生地を用いている。これにより、通学服10の着用者が刃物で襲われた場合であっても、それによる被害を抑えることが可能になる。前記生地を用いる場所は、特に限定されないが、通常、裏地として使用される。本実施態様の通学服10においては、軽量で高強度であり耐熱性や耐薬品性にも優れたケブラー（登録商標）繊維からなる生地を、肩や背中等の裏地として用いている。
【００２７】
また、通学服10の表面（表地）には、図１に示すように、光反射材11〜14を取り付けている。これにより、通学服10を自動車や自転車のヘッドライトの光を反射するものとして、着用者の夜間時の視認性を向上することが可能になる。光反射材11〜14を取り付ける場所は、外側から視認できる場所であれば特に限定されないが、本実施態様の通学服10においては、光反射材11，12をパイピングとして襟の部分に取り付け、光反射材13をエンブレムとして左腕の部分に取り付け、光反射材14を名札吊として胸ポケットに取り付けている。このため、通学服10は、学生服としての品位を損なうことなく、逆に光反射材11〜14がよいアクセントとなって、デザイン性に優れたものとなっている。
【００２８】
さらに、通学服10の表面には、通学服10の着用者がＧＰＳ端末を所持していることを外部にアピールするための表示が為されている。これにより、児童生徒を狙う者にその気をなくさせることが可能になり、事件を未然に防ぐことも可能になる。前記表示は、文字や記号や図形等のいずれの手段で為されたものであってもよい。例えば、「ＧＰＳ」等の文字を記したり、ＧＰＳ端末を象形化したマークを記したり、ＧＰＳ端末を製造又は販売する会社のロゴを記したりすることができる。前記表示は、それ単独で施してもよいが、光反射材11〜14に施されたものであると好ましい。本実施態様の通学服10においては、前記表示を、エンブレム型の光反射材13と、名札吊型の光反射材14とに施している。
【図面の簡単な説明】
【００２９】
【図１】本発明の通学服を示した正面図である。
【図２】図１の通学服の前身頃におけるＡ部を裏地側から見た状態を示した図である。
【符号の説明】
【００３０】
10  通学服
11，12  光反射材（パイピング型）
13  光反射材（エンブレム型）
14  光反射材（名札吊型）
20  内ポケット
21  合わせ布
22  操作孔
30  保持ベルト
31，32  面ファスナ
【図１】
2006183154.tif 000003
【図２】
2006183154.tif 000004